【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
外部装置からジョブコマンドを受信するジョブコマンド受信手段と、
前記ジョブコマンド受信手段により受信した前記ジョブコマンドに基づく画像形成処理を実行する画像形成処理手段と、
前記ジョブコマンドに前記外部装置が備える付加機能の識別情報が含まれている場合、前記付加機能による画像形成処理に係る課金処理を行う課金手段とを有することを特徴とする画像形成装置。
【請求項２】
当該画像形成装置に対して保守契約がなされているのか否かを管理する保守契約管理手段を更に有し、
前記課金手段は、前記保守契約が結ばれたユーザについて前記付加機能による画像形成処理に係る課金処理を行うことを特徴とする請求項１に記載の画像形成装置。
【請求項３】
前記外部装置の識別情報を含む前記付加機能の登録情報を受信する登録情報受信手段と、
前記登録情報受信手段により受信した前記登録情報に基づいて、前記付加機能の識別情報を前記課金手段に登録する登録手段とを更に有し、
前記課金手段は、前記ジョブコマンドに前記登録手段により登録された前記付加機能の識別情報が含まれている場合に、前記付加機能による画像形成処理に係る課金処理を行うことを特徴とする請求項１又は２に記載の画像形成装置。
【請求項４】
前記ジョブコマンドは、暗号化されたジョブコマンドであることを特徴とする請求項１乃至３の何れか１項に記載の画像形成装置。
【請求項５】
前記ジョブコマンドは、前記ジョブコマンドの改竄防止のための情報を含むことを特徴とする請求項１乃至３の何れか１項に記載の画像形成装置。
【請求項６】
画像形成装置と情報処理装置とが通信回線により接続された画像形成システムであって、
前記情報処理装置は、
前記画像形成装置に対してジョブコマンドを送信するジョブコマンド送信手段を有し、
前記画像形成装置は、
前記ジョブコマンドを受信するジョブコマンド受信手段と、
前記ジョブコマンド受信手段により受信した前記ジョブコマンドに基づく画像形成処理を実行する画像形成処理手段と、
前記ジョブコマンドに前記情報処理装置が備える付加機能の識別情報が含まれている場合、前記付加機能による画像形成処理に係る課金処理を行う課金手段とを有することを特徴とする画像形成システム。
【請求項７】
前記画像形成装置は、
当該画像形成装置に対して保守契約がなされているのか否かを管理する保守契約管理手段を更に有し、
前記課金手段は、前記保守契約が結ばれたユーザについて前記付加機能による画像形成処理に係る課金処理を行うことを特徴とする請求項６に記載の画像形成システム。
【請求項８】
前記情報処理装置は、
前記画像形成装置に対する前記保守契約の有無について問い合わせる問い合わせ手段と、
前記問い合わせ手段による問い合わせの結果、前記保守契約が結ばれていない場合、既に課金契約が結ばれていることを認識可能なライセンス情報の入力を当該ユーザに対して促すユーザインタフェースを表示するユーザインタフェース手段と、
ユーザにより入力されたライセンス情報を前記画像形成装置に対して送信するライセンス情報送信手段を更に有し、
前記画像形成装置は、
前記ライセンス情報の正当性を認証する認証手段を更に有し、
前記課金手段は、前記認証手段により前記ライセンス情報の正当性が認証された場合、前記付加機能による画像形成処理に係る課金処理を行うことを特徴とする請求項７に記載の画像形成システム。
【請求項９】
前記画像形成装置は、
前記情報処理装置の識別情報を含む前記付加機能の登録情報を受信する登録情報受信手段と、
前記登録情報受信手段により受信した前記登録情報に基づいて、前記付加機能の識別情報を前記課金手段に登録する登録手段とを更に有し、
前記課金手段は、前記ジョブコマンドに前記登録手段により登録された前記付加機能の識別情報が含まれている場合に、前記付加機能による画像形成処理に係る課金処理を行うことを特徴とする請求項６乃至８の何れか１項に記載の画像形成システム。
【請求項１０】
前記ジョブコマンドは、暗号化されたジョブコマンドであることを特徴とする請求項６乃至９の何れか１項に記載の画像形成システム。
【請求項１１】
前記ジョブコマンドは、前記ジョブコマンドの改竄防止のための情報を含むことを特徴とする請求項６乃至９の何れか１項に記載の画像形成システム。
【請求項１２】
外部装置からのジョブコマンドに基づいた画像形成処理を実行する画像形成装置による課金処理方法であって、
前記外部装置から受信した前記ジョブコマンドに前記外部装置が備える付加機能の識別情報が含まれている場合、前記付加機能による画像形成処理に係る課金処理を行うことを特徴とする課金処理方法。
【請求項１３】
当該画像形成装置に対して所定の保守契約がなされているのか否かを管理し、前記所定の保守契約が結ばれたユーザについて前記付加機能による画像形成処理に係る課金処理を行うことを特徴とする請求項１２に記載の課金処理方法。
【請求項１４】
前記外部装置の識別情報を含む前記付加機能の登録情報を受信し、受信した前記登録情報に基づいて前記付加機能の識別情報を画像形成装置内に登録することにより、前記ジョブコマンドに当該登録された付加機能の識別情報が含まれている場合に、前記付加機能による画像形成処理に係る課金処理を行うことを特徴とする請求項１２又は１３に記載の課金処理方法。
【請求項１５】
前記ジョブコマンドは、暗号化されたジョブコマンドであることを特徴とする請求項１２乃至１４の何れか１項に記載の課金処理方法。
【請求項１６】
前記ジョブコマンドは、前記ジョブコマンドの改竄防止のための情報を含むことを特徴とする請求項１２乃至１４の何れか１項に記載の課金処理方法。
【請求項１７】
請求項１２乃至１６の何れか１項に記載の課金処理方法をコンピュータに実行させるためプログラム。
【手続補正２】
【補正対象書類名】明細書
【補正対象項目名】００１０
【補正方法】変更
【補正の内容】
【００１０】
本発明の画像形成装置は、外部装置からジョブコマンドを受信するジョブコマンド受信手段と、前記ジョブコマンド受信手段により受信した前記ジョブコマンドに基づく画像形成処理を実行する画像形成処理手段と、前記ジョブコマンドに前記外部装置が備える付加機能の識別情報が含まれている場合、前記付加機能による画像形成処理に係る課金処理を行う課金手段とを有することを特徴とする。
本発明の画像形成システムは、画像形成装置と情報処理装置とが通信回線により接続された画像形成システムであって、前記情報処理装置は、前記画像形成装置に対してジョブコマンドを送信するジョブコマンド送信手段を有し、前記画像形成装置は、前記ジョブコマンドを受信するジョブコマンド受信手段と、前記ジョブコマンド受信手段により受信した前記ジョブコマンドに基づく画像形成処理を実行する画像形成処理手段と、前記ジョブコマンドに前記情報処理装置が備える付加機能の識別情報が含まれている場合、前記付加機能による画像形成処理に係る課金処理を行う課金手段とを有することを特徴とする。
本発明の課金処理方法は、外部装置からのジョブコマンドに基づいた画像形成処理を実行する画像形成装置による課金処理方法であって、前記外部装置から受信した前記ジョブコマンドに前記外部装置が備える付加機能の識別情報が含まれている場合、前記付加機能による画像形成処理に係る課金処理を行うことを特徴とする。
本発明のプログラムは、前記課金処理方法をコンピュータに実行させることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】